(57)【要約】【課題】回路規模の縮小および低廉化を実現できる映像信号処理回路を提供。【解決手段】Ｙ／Ｃ分離回路１０は、供給される画像データ１０ａのうち、ＶＢＩ（Ｖｅｒｔｉｃａｌ　Ｂｌａｎｋｉｎｇ　Ｉｎｔｅｒｖａｌ）に含まれる１ライン分のデータをタイミング生成回路１４からのイネーブル信号１４ａ，　１４ｂの一方が示す書込みタイミングでラインメモリ回路１２に書き込み、イネーブル信号１４ａ，　１４ｂの他方が示すラインメモリ回路１２から読出しタイミングに応じて演算回路１６に１フレーム分遅延させて読み出し、演算回路１６でＶＢＩにおける遅延のない画像データ１０ａと遅延させたデータ１２ｃとを用いて演算処理してＶＢＩの画像データ１０ａから輝度成分と色差成分を分離する。【選択図】　　　　図１
2004147038.tif 000002
【特許請求の範囲】
【請求項１】
１枚の画像信号における境界を規定する垂直帰線消去期間の信号に含まれる信号から明るさを表す輝度信号成分と色を表す色差信号成分を分離する映像信号処理回路であって、該回路は、
供給される画像信号のうち、前記垂直帰線期間に含まれる信号を表す垂直帰線消去期間のデータを記憶する１ライン分のデータ記憶手段と、
該データ記憶手段に前記垂直帰線消去期間のデータを書き込むタイミングと該データ記憶手段から前記垂直帰線消去期間のデータを読み出すタイミングを、それぞれ生成するタイミング生成手段と、
該回路に供給される最新の垂直帰線消去期間のデータと前記データ記憶手段から読み出した垂直帰線消去期間のデータを用いて演算処理する演算手段とを含むことを特徴とする映像信号処理回路。
【請求項２】
請求項１に記載の回路において、前記タイミング生成手段は、前記垂直帰線消去期間のデータに対する書込みから次の該データの読出しまでの時間を１フレームとして生成していることを特徴とする映像信号処理回路。
【請求項３】
請求項１または２に記載の回路において、前記データ記憶手段は、前記垂直帰線消去期間に供給されるデータを格納する２つの記憶手段を有し、
該２つの記憶手段は、前記データの書込みおよび読出しをそれぞれ交互に行って書込みと読出しをほぼ同時に行うことを特徴とする映像信号処理回路。
【発明の詳細な説明】
【０００１】
【発明の属する技術分野】
本発明は、映像信号処理回路に関し、たとえば、垂直帰線消去期間の信号における輝度信号成分と色差信号成分の分離に用いて好適なものである。
【０００２】
【従来の技術】
現行のテレビジョン信号は、明るさを表す輝度信号成分Ｙと色を表す色差成分Ｃで構成される複合映像信号を用いている。周波数的な見地で色差信号Ｃは、色副搬送波によって変調され、帯域をシフトさせて輝度信号Ｙの隙間に内挿し、多重化されている。複合映像信号は、受像機に映像としての表示においてこの周波数多重化された輝度信号Ｙと色差信号Ｃの分離が行われている。この処理がＹ／Ｃ分離処理である。当初、簡単なハイパスフィルタおよびローパスフィルタを用いたＹ／Ｃ分離処理ではクロスカラー妨害が発生していた。これの対策としてくし形フィルタを適用したＹ／Ｃ分離が行われたが、ライン間に変化のある水平エッジ部分にドット妨害が生じてしまう。
【０００３】
これらのＹ／Ｃ分離の改良を行うためフレーム間でのＹ／Ｃ分離処理が検討されている。この処理には、Ａ／Ｄ変換器、フレームメモリおよび２つの加算器が用いられる。Ａ／Ｄ変換器は、アナログの複合映像信号をディジタル信号に変換し、変換したディジタル信号（フレームデータ）をフレームメモリに書き込み、１フレーム遅延させて読み出している。第１の加算器では１フレーム前のフレームデータから現フレームデータを減算して色差データを生成し、第２の加算器では、現フレームデータからこの色差データを減算して輝度データを生成している。この演算は各フレームの同じ位置の画素同士で行うことからクロスカラー等が防止される。ただし、処理対象の画像に動きがあると、完全に分離できない。
【０００４】
そこで、画像の領域を動きの有無に応じて適用する処理を変えることが行われている。動きのない画像領域にはフレーム間Ｙ／Ｃ分離処理が時間方向フィルタとして適用され、動きのある画像領域にはフレーム内Ｙ／Ｃ分離処理が２次元空間フィルタとして適用される。フレーム内Ｙ／Ｃ分離処理では、フレーム間Ｙ／Ｃ分離処理と比較してフレームメモリがラインメモリになり、色差データだけを抽出するバンドパスフィルタが追加されている。また、動きの有無を検出するために、現フレームデータと１つ前のフレームデータの減算結果を求め、この結果の絶対値を動き量とし、閾値と動き量の比較から動きの有無を判定し、フレーム内Ｙ／Ｃ分離処理およびフレーム間Ｙ／Ｃ分離処理のいずれか一方を選択している。このようにして画像として表示される領域に対するＹ／Ｃ分離処理が行われている。
【０００５】
【特許文献１】
特開平７−２８４１２２号公報。
【０００６】
【発明が解決しようとする課題】
ところで、映像信号中のＶＢＩ（Ｖｅｒｔｉｃａｌ　Ｂｌａｎｋｉｎｇ　Ｉｎｔｅｒｖａｌ：垂直帰線消去期間）に対してもＹ／Ｃ分離が行われている。ＶＢＩは、１フレームの映像信号において１ラインに固有の信号として入っている。このため、ライン間およびフィールド間のいずれにも相関性がない。ＶＢＩのＹ／Ｃ分離処理には、色副搬送波（カラーサブキャリア）のトラップフィルタおよびフレーム間Ｙ／Ｃ分離処理のいずれかが使用される。
【０００７】
しかしながら、前者のフィルタは、Ｙ／Ｃ分離特性が十分得られないことが知られている。また、後者のフレーム間Ｙ／Ｃ分離処理は、Ｙ／Ｃ分離特性が十分に得られるが、大容量なフレームメモリの使用により製品として回路規模の増大やコストアップの面で問題であった。
【０００８】
本発明はこのような従来技術の欠点を解消し、回路規模の縮小および低廉化を実現できる映像信号処理回路を提供することを目的とする。
【０００９】
【課題を解決するための手段】
本発明は上述の課題を解決するために、１枚の画像信号における境界を規定する垂直帰線消去期間に含まれる信号から明るさを表す輝度信号成分と色を表す色差信号成分を分離する映像信号処理回路であって、供給される画像信号のうち、垂直帰線消去期間に含まれる信号を表す垂直帰線消去期間のデータを記憶する１ライン分のデータ記憶手段と、このデータ記憶手段に垂直帰線消去期間のデータを書き込むタイミングとこのデータ記憶手段から垂直帰線消去期間のデータを読み出すタイミングを、それぞれ生成するタイミング生成手段と、この回路に供給される最新の垂直帰線消去期間のデータとデータ記憶手段から読み出した垂直帰線消去期間のデータを用いて演算処理する演算手段とを含むことを特徴とする。
【００１０】
本発明の映像信号処理回路は、供給される画像信号のうち、垂直帰線消去期間が含む１ライン分のデータをタイミング生成手段から供給される書込みタイミングでデータ記憶手段に書き込み、このデータ記憶手段に書き込んだデータを読出しタイミングに応じて演算手段に読み出し、書込みと読出しタイミングの時間分、遅延させた画像データを出力し、演算手段で垂直帰線消去期間における遅延のない画像データと遅延させた画像データとを用いて演算処理して輝度成分と色差成分を分離している。
【００１１】
【発明の実施の形態】
次に添付図面を参照して本発明による映像信号処理回路の一実施例を詳細に説明する。
【００１２】
本実施例は、本発明の映像信号処理回路を垂直帰線消去期間におけるＹ／Ｃ分離回路１０に適用した場合である。本発明と直接関係のない部分について図示および説明を省略する。以下の説明で、信号はその現れる接続線の参照番号で指示する。
【００１３】
Ｙ／Ｃ分離回路１０は、ラインメモリ１２、タイミング生成回路１４および演算回路１６を含む。ラインメモリ回路１２は、ラインメモリ１２ａ，　１２ｂを有している。ラインメモリ１２ａ，　１２ｂには、タイミング生成回路１４から供給されるイネーブル信号１４ａ，　１４ｂをデコードする機能が備えられている。ラインメモリ回路１２は、デコードしたイネーブル信号に応じて供給される垂直帰線消去期間（ＶＢＩ）に供給される現在の画像データ１０ａを一時格納し、１フレーム後の遅延した１ラインの画像データ１２ｃを演算回路１６に出力する。
【００１４】
タイミング生成回路１４は、各フレームの先頭の検出およびこの検出に応じて２つのイネーブル信号１４ａ，　１４ｂの生成機能を有している。タイミング生成回路１４は、図示しないが画像信号１０ａからフレームの先頭検出を行い、この検出にともないカウンタを動作させて確実な１フレーム毎にイネーブルタイミングを生成している。また、タイミング生成回路１４は、イネーブル信号１４ａ，　１４ｂにおける書込み／読出しを１フレーム毎に交互にラインメモリ回路１２に出力する。書込み／読出しのイネーブル信号は、たとえばデータ「０１」とデータ「１０」を供給して区別できるようにしている。
【００１５】
演算回路１６には、２つの加算器１６ａ，　１６ｂが含まれている。加算器１６ａには、一方の入力端子１６ｃに遅延した画像データ１２ｃが加算入力され、他端の入力端子１６ｄに現在の画像データ１０ａが減算入力される。加算器１６ａは、演算結果を色差信号Ｃとして出力する。加算器１６ｂには、一方の入力端子１６ｅに現在の画像データ１０ａが加算入力され、他端の入力端子１６ｆに加算器１６ａからの色差信号Ｃが減算入力される。この結果、加算器１６ｂは、輝度信号Ｙを出力する。
【００１６】
なお、ラインメモリ回路１２は、デュアルタイプのラインメモリに限定されるものでなく、ＦＩＦＯ（Ｆｉｒｓｔ−Ｉｎ　Ｆｉｒｓｔ−Ｏｕｔ）メモリを用いてもよい。この場合、書込み／読出しイネーブルは、このメモリの書込み／読出し位置に対応して供給される。この位置がポインタに対応している。この場合、ラインメモリは１ラインで済む。
【００１７】
次にＹ／Ｃ分離回路１０の動作を図２で簡単に説明する。ラインメモリ回路１２では、たとえば図２（ａ）のタイミングＴ１で図２（ｃ）の書込みイネーブル信号をデコードした立上りを受けて、供給される現在の画像データ１０ａをラインメモリ１２ａに書き込む。また、ラインメモリ１２ｂでは、同じタイミングＴ１で図２（ｄ）の読出しイネーブル信号をデコードした立上りを受けて、格納していた画像データを図２（ｂ）の遅延した画像データとして出力する。
【００１８】
そして、次のフレーム先頭を示すタイミングＴ２では、ラインメモリ１２ａに格納されていた画像データを供給される読出しイネーブル信号の立上りに応じて出力する。また、メモリの空いているラインメモリ１２ｂには、このタイミングで書込みイネーブル信号が供給される。ラインメモリ１２ｂは、現在の画像データをメモリ内に書き込む。
【００１９】
ラインメモリ回路１２は、タイミング生成回路１４から供給されるイネーブル信号１４ａ，　１４ｂに応じて１フレーム遅延した画像データ１２ｃを生成し、演算回路１６に出力する。Ｙ／Ｃ分離回路１０において、このように現在供給される画像データに対して１フレーム遅延した画像データ１２ｃを生成することが重要である。この画像データを用いて良好に分離されたＹ／Ｃデータを得ることができる。
【００２０】
以上のように構成することにより、ＶＢＩに重畳されたライン信号に対するＹ／Ｃ分離に応じてメモリ容量が最小１ライン分程度で済むから、ＦＰＧＡ（Ｆｉｅｌｄ　Ｐｒｏｇｒａｍｍａｂｌｅ　Ｇａｔｅ　Ａｒｒａｙ）等の内部メモリでまかなうことができるので、回路規模の縮小・低廉化が実現できる。
【００２１】
【発明の効果】
このように本発明の映像信号処理回路によれば、供給される画像信号のうち、垂直帰線消去期間が含む１ライン分のデータをタイミング生成手段から供給される書込みタイミングでデータ記憶手段に書き込み、このデータ記憶手段に書き込んだデータを読出しタイミングに応じて演算手段に読み出し、書込みと読出しタイミングの時間分、遅延させた画像データを出力し、演算手段で垂直帰線消去期間における遅延のない画像データと遅延させた画像データとを用いて演算処理して輝度成分と色差成分を分離することにより、回路規模の縮小および回路の低廉化を実現させることができる。
【図面の簡単な説明】
【図１】本発明の映像信号処理回路を適用したＹ／Ｃ分離回路の概略的な構成を示すブロック図である。
【図２】図１のＹ／Ｃ分離回路においてデータの入出力関係を説明するタイミングチャートである。
【符号の説明】
１０　Ｙ／Ｃ分離回路
１２　ラインメモリ回路
１４　タイミング生成回路
１６　演算回路
【図１】
2004147038.tif 000003
【図２】
2004147038.tif 000004